(57)【要約】【課題】スプリングの座屈を抑制して、所定の流体制御の性能を得ることができる弁装置を提供する。【解決手段】この弁装置１０は、ベース部材２０と、開口部５に接離する弁体５１及び支持部５３を有する弁部材５０と、弁部材５０を開口部５に向けて付勢するバネ部材７０とを有し、ベース部材２０は、台座部２１と、支持部５３をスライド可能に保持する保持部２５と、台座部２１に設置されるバネ部材７０の座巻部７３を、バネ部材７０の内径側から押圧する弾性爪部３７とを有しており、支持部５３には、保持部２５に対する支持部５３のスライド範囲内において、弾性爪部３７を、座巻部７３に向けて外方に撓ませて、座巻部７３を押圧した状態に維持する、押圧部６１が設けられている。【選択図】図７
2017207120.tif 000002
【特許請求の範囲】
【請求項１】
弁ケースに形成された開口部を開閉する弁装置であって、
ベース部材と、
前記開口部に接離する弁体、及び、該弁体に連設された支持部を有し、前記ベース部材にスライド可能に支持される弁部材と、
前記ベース部材及び前記弁部材の間に配置されて、前記弁部材を前記開口部に向けて付勢するバネ部材とを有し、
前記ベース部材は、前記弁ケースに設置される台座部と、前記支持部をスライド可能に保持する保持部と、前記台座部に設置される前記バネ部材の座巻部を、前記バネ部材の内径側又は外径側から押圧する弾性爪部とを有しており、
前記支持部には、前記保持部に対する前記支持部のスライド範囲内において、前記弾性爪部を、前記座巻部に向けて外方又は内方に撓ませて、前記座巻部を押圧した状態に維持する、押圧部が設けられていることを特徴とする弁装置。
【請求項２】
前記保持部又は前記支持部の一方に、複数のガイド溝が形成され、前記保持部又は前記支持部の他方に、各ガイド溝に挿入される複数のガイド突起が形成されており、
各ガイド溝に各ガイド突起が挿入されることで、前記保持部に対する前記支持部のスライド範囲が規制されつつスライドがガイドされるように構成されている請求項１記載の弁装置。
【請求項３】
前記保持部は筒状をなすと共に、該保持部に、前記座巻部を、前記バネ部材の内径側から押圧する複数の前記弾性爪部が形成されており、
前記バネ部材は、前記保持部の外周に配置され、
前記支持部は、前記弁体から延出して前記保持部の内側に挿入されると共に、該支持部の所定位置に、複数の前記弾性爪部の最大間隔よりも大きい径に形成され、前記弾性爪部を、前記座巻部に向けて外方に撓ませて、前記座巻部を押圧した状態に維持する、前記押圧部が設けられている請求項１又は２記載の弁装置。
【請求項４】
前記保持部の外周からは、前記バネ部材の線材間に挿入されて、前記バネ部材の、前記台座部からの浮き上がりを抑制する突出片が設けられている請求項１〜３のいずれか１つに記載の弁装置。
【発明の詳細な説明】
【技術分野】
【０００１】
本発明は、例えば、車両のコントロールバルブや燃料タンク等に用いられる、弁装置に関する。
【背景技術】
【０００２】
例えば、車両には油圧制御のためのコントロールバルブや、燃料タンクの圧力調整等のために、弁装置が用いられている。
【０００３】
従来のこの種の弁装置として、下記特許文献１には、油圧経路を形成したボデーと、油圧経路途中に配置され、円形孔状をなした弁座を有する鋼製板と、該弁座に接離して、円形孔を開閉するボールと、該ボールを弁座に向けて常時付勢するスプリングとからなる、ボール弁装置が記載されている。また、スプリングは、その下端がボデーの油圧経路の底面に配置され、上端にボールが載置されている。
【０００４】
そして、油圧経路を流れる油の圧力が所定値以上になると、スプリングの付勢力に抗してボールが押されて、弁座が開いて油を流出して、油圧を減少させ、一方、油圧が所定値以下になると、スプリングが弾性復帰してボールを押圧して、弁座が閉じることで、油圧制御がなされるようになっている。
【先行技術文献】
【特許文献】
【０００５】
【特許文献１】特開昭６２−７８２７号公報
【発明の概要】
【発明が解決しようとする課題】
【０００６】
しかしながら、上記特許文献１のボール弁装置においては、スプリングの上端にボールが載置されただけの構造であるため、圧力調整時に弁座からボールが接離して、スプリングが伸び縮みする際に、スプリングが座屈しやすく、所定の流体制御の性能が得られないおそれがあった。
【０００７】
したがって、本発明の目的は、スプリングの座屈を抑制して、所定の流体制御の性能を得ることができる、弁装置を提供することにある。
【課題を解決するための手段】
【０００８】
上記目的を達成するため、本発明は、弁ケースに形成された開口部を開閉する弁装置であって、ベース部材と、前記開口部に接離する弁体、及び、該弁体に連設された支持部を有し、前記ベース部材にスライド可能に支持される弁部材と、前記ベース部材及び前記弁部材の間に配置されて、前記弁部材を前記開口部に向けて付勢するバネ部材とを有し、前記ベース部材は、前記弁ケースに設置される台座部と、前記支持部をスライド可能に保持する保持部と、前記台座部に設置される前記バネ部材の座巻部を、前記バネ部材の内径側又は外径側から押圧する弾性爪部とを有しており、前記支持部には、前記保持部に対する前記支持部のスライド範囲内において、前記弾性爪部を、前記座巻部に向けて外方又は内方に撓ませて、前記座巻部を押圧した状態に維持する、押圧部が設けられていることを特徴とする。
【発明の効果】
【０００９】
本発明によれば、弁部材の支持部がベース部材の保持部に対してスライドする際に、弁部材の支持部に設けた押圧部が、ベース部材の弾性爪部を、バネ部材の座巻部の内径側又は外径側に撓ませて、座巻部を押圧した状態に維持するので、バネ部材の座巻部を安定して保持することができ、バネ部材の座屈を抑制することができる。その結果、開口部から流出する流体に押圧されて、バネ部材に付勢された弁部材の弁体が開口部から離れたり、或いは、開口部から離れた弁体が再び開口部に当接する際に、バネ部材に付勢される弁部材を傾きにくくさせて、所定の流体制御の性能を得ることができる。
【図面の簡単な説明】
【００１０】
【図１】本発明に係る弁装置の、一実施形態を示す分解斜視図である。
【図２】同弁装置の斜視図である。
【図３】同弁装置を構成するベース部材の斜視図である。
【図４】同ベース部材の断面斜視図である。
【図５】同ベース部材の平面図である。
【図６】同弁装置を構成する弁部材の斜視図である。
【図７】同弁装置の使用状態を示しており、開口部が弁体で閉塞された状態の断面図である。
【図８】同弁装置の使用状態を示しており、開口部から弁体が開いた状態の断面図である。
【図９】本発明に係る弁装置の、他の実施形態を示す分解斜視図である。
【図１０】同弁装置の斜視図である。
【図１１】同弁装置を構成するベース部材の断面斜視図である。
【図１２】同ベース部材の平面図である。
【図１３】同弁装置の使用状態を示しており、開口部が弁体で閉塞された状態の断面図である。
【図１４】同弁装置の使用状態を示しており、開口部から弁体が開いた状態の断面図である。
【発明を実施するための形態】
【００１１】
以下、図１〜８を参照して、本発明に係る弁装置の一実施形態について説明する。
【００１２】
図１及び図７に示すように、この弁装置１０は、例えば、車両の油圧制御用のコントロールバルブ等の弁ケース１に配置されて、同弁ケース１に形成された開口部５を開閉するものである。この実施形態における弁ケース１は、その内部に設けられた油圧流路を仕切る仕切り板３を有しており、該仕切り板３に円形状をなした開口部５が形成されている。なお、弁装置としては、例えば、燃料タンク内に配置されて、燃料タンク内の圧力を調整するための、リリーフ弁等に用いてもよく、特に限定はされない。
【００１３】
図１及び図２に示すように、この実施形態の弁装置１０は、ベース部材２０と、前記開口部５に接離する弁体５１、及び、該弁体５１に連設された支持部５３を有し、ベース部材２０にスライド可能に支持される弁部材５０と、ベース部材２０及び弁部材５０の間に配置されて、弁部材５０を前記開口部５に向けて付勢するバネ部材７０とを有している。
【００１４】
前記バネ部材７０は、線材７１を所定ピッチで巻回してなるコイルバネであり、その軸方向両端に座巻部７３，７３が設けられている。なお、この実施形態における座巻部７３の外径は、他の部分よりもやや小さい外径となるように形成されている（図７参照）。
【００１５】
まず、ベース部材２０について説明する。図３に示すように、この実施形態のベース部材２０は略円盤状をなし、前記弁ケース１の内部底面に設置される台座部２１を有している。この台座部２１は、その中央に円形状をなした挿入孔２３が形成されており（図４参照）、該挿入孔２３の周縁から略円筒状をなした保持部２５が立設されている。この筒状をなした保持部２５内に、弁部材５０の支持部５３が挿入されて、保持部２５に対して弁部材５０をスライド可能に支持する（図７及び図８参照）。また、筒状の保持部２５の外周にバネ部材７０が配置されて、その一端側（下端側）の座巻部７３が前記台座部２１に支持される（図７参照）。
【００１６】
更に図３〜５に示すように、この保持部２５には、周方向に均等な間隔をあけて、その立設方向先端から基端側に向けて、複数のスリット２７が軸方向に沿って形成されており（ここでは８個）、該スリット２７を介して複数の帯状片２９（ここでは８個）が設けられている。このうち、１つ置きにほぼ９０度間隔で配置された４つの帯状片２９の内側には、凹状をなした凹溝３１が保持部２５の軸方向に沿って形成されている。
【００１７】
また、図４に示すように、保持部２５には、上記凹溝３１が形成された帯状片２９の基端側（台座部２１に近い端部側）であって、前記凹溝３１に隣接した位置に、保持部２５の軸方向に沿って延びる長孔状をなした、ガイド溝３３が形成されている。このガイド溝３３に、弁部材５０の後述するガイド突起６５が挿入されて、保持部２５に対して弁部材５０の支持部５３のスライド範囲が規制されるようになっている（図７及び図８参照）。なお、ガイド溝３３は、所定深さの凹状をなしていてもよい。すなわち、本発明における「ガイド溝」とは、スリット状の孔及び凹状の溝を含む意味である。
【００１８】
また、図４に示すように、保持部２５の基端側には、その周方向に均等な間隔をあけて、スリット３５が形成されており、該スリット３５を介して、弾性爪部３７が弾性変形可能に形成されている。この実施形態では、前記ガイド溝３３に整合するように、保持部２５の基端側に４個の弾性爪部３７が形成されている。各弾性爪部３７の内面側からは、保持部２５の内径方向に向けて、突部３９が形成されている。各突部３９には、保持部２５の基端側に向けて次第に突出高さが高くなるテーパ面４１が形成されている。そして、この突部３９が、弁部材５０の後述する押圧部６１に押圧され、弾性爪部３７を外方に撓ませることで、バネ部材７０の座巻部７３がその内径側から押圧されるようになっている（図７及び図８参照）。
【００１９】
また、図３及び図４に示すように、保持部２５の基端側であって、前記弾性爪部３７よりも、保持部２５の先端側に位置する部分の外周からは、略半円形のフランジ状をなした突出片４３が形成されている。この突出片４３が、バネ部材７０の座巻部７３側の線材７１，７１の間に挿入されることで、バネ部材７０の、前記台座部２１からの浮き上がりが抑制される（図７及び図８参照）。なお、突出片としては、バネ部材７０の線材７１，７１間に挿入可能であればよく、例えば、保持部２５の外周に所定幅で形成された円弧形のリブ状や、保持部２５の外周に所定間隔で複数形成された突起状等であってもよく、特に限定はされない。
【００２０】
一方、上記構造のベース部材２０にスライド支持される弁部材５０は、図６及び図７に示すように、略円板状をなした弁体５１と、該弁体５１の裏面側から延出して、筒状をなした前記保持部２５に挿入されて保持される、略円柱状をなした支持部５３とを有している。前記弁体５１の表側外周には、次第に先細となるようにテーパ状をなしたシール部５５が形成されており、該シール部５５が、弁ケース１の開口部５の周縁に接離して、同開口部５を開閉するようになっている（図７及び図８参照）。なお、弁体と支持部とは別体であってもよく、特に限定はされない。
【００２１】
また、図６及び図７に示すように、支持部５３は、弁体５１の裏面側に連設された大径のバネ支持部５７と、該バネ支持部５７の先端から延設され、同バネ支持部５７よりも小径の挿入軸部５９と、該挿入軸部５９の延出方向先端から延設され、同挿入軸部５９よりも小径であって、複数の弾性爪部３７の最大間隔（ここでは保持部２５の周方向の対向箇所に配置された弾性爪部３７，３７の内面どうしの間隔）よりも大径の押圧部６１とを有している。
【００２２】
図７に示すように、前記バネ支持部５７は、前記保持部２５の先端上方に配置されると共に、その外周にバネ部材７０の他端側（上端側）の座巻部７３が配置され、同座巻部７３は弁体５１の裏面側に当接して支持される。また、前記挿入軸部５９は、筒状をなした前記保持部２５の内側にスライド可能に挿入される（図７及び図８参照）。
【００２３】
更に図６に示すように、前記挿入軸部５９の、延出方向先端側の外周には、周方向に均等な間隔をあけて、略山型状をなした複数のガイド突起６５（ここでは４個）が形成されている。各ガイド突起６５は、保持部２５に対して弁部材５０を組付けるべく、保持部２５の各凹溝３１に整合させて弁部材５０を押し込んだときに、各凹溝３１によってガイドされつつ各ガイド溝３３に挿入される。
【００２４】
また、各ガイド突起６５が各ガイド溝３３に挿入されることで、保持部２５に対する支持部５３のスライド範囲が規制されつつスライドがガイドされ、更に、支持部５３の最大スライド時に各ガイド溝３３の端部内周に各ガイド突起６５が係合して、ベース部材２０に弁部材５０が抜け止め保持され（図７参照）、かつ、バネ部材７０がベース部材２０及び弁部材５０の間に抜け止め保持される。なお、ベース部材２０の保持部２５の内周に複数のガイド突起を設け、弁部材５０の挿入軸部５９の外周に複数のガイド溝を設けて、各ガイド溝に各ガイド突起が挿入されることで、保持部２５に対する支持部５３のスライド範囲が規制されつつスライドがガイドされるようにしてもよい。
【００２５】
このとき、バネ部材７０は、一端側の座巻部７３が、ベース部材２０の台座部２１に当接して支持されると共に、他端側の座巻部７３が、弁部材５０の弁体５１の裏面側に当接して支持されて圧縮状態で保持され、ベース部材２０の台座部２１に対して弁部材５０の弁体５１が離れる方向となるように付勢する（図７参照）。
【００２６】
そして、上記のように、バネ部材７０がベース部材２０及び弁部材５０の間に抜け止め保持された状態で、図７及び図８に示すように、支持部５３の所定位置（ここでは軸方向先端側）に設けた押圧部６１が保持部２５の内側に挿入されて、保持部２５に対する支持部５３のスライド範囲内（ここでは、ガイド突起６５がガイド溝３３内をスライドする範囲内）において、前記弾性爪部３７を、バネ部材７０の座巻部７３に向けて外方に撓ませて、座巻部７３を押圧した状態に維持するように構成されている。
【００２７】
また、押圧部６１の先端側は、ベース部材２０の台座部２１に設けた挿入孔２３に挿入されて、スライド支持されるようになっている（図７及び図８参照）。なお、押圧部６１の先端外周面には、先細状をなすようにテーパ面６３が形成されており、保持部２５内に支持部５３を挿入しやすくなっている。
【００２８】
更に、この実施形態においては、保持部２５を筒状として、その外周にバネ部材７０を配置すると共に、保持部２５の内側に支持部５３を挿入して、弾性爪部３７をバネ部材７０の座巻部７３に向けて外方に撓ませる構造となっているが、保持部の内周にバネ部材７０を配置し、保持部外周に、弁部材の支持部を配置して、弾性爪部を座巻部７３に向けて内方に撓ませて、同座巻部７３を外径側から押圧した状態に維持してもよく、特に限定はされない（この実施形態については後述の実施形態で説明する）。
【００２９】
また、押圧部としては、例えば、支持部の先端に拡径した部分を設けて、該拡径部分によって、保持部の弾性爪部を、バネ部材７０の座巻部に向けて外方に撓ませてもよく、その形状は特に限定されるものではない。更に、保持部２５の凹溝３１や、ガイド溝３３、弁部材５０のガイド突起６５の個数は、２個や３個、或いは５個以上であってもよく、特に限定されない。また、保持部と支持部とのガイド構造は、保持部に対して支持部をスライドガイド可能な構造であればよく、また、保持部と支持部との抜け止め構造は、保持部に対して支持部を抜け止め可能な構造であればよく、特に限定はされない。
【００３０】
次に、上記構造からなる弁装置１０の使用方法及び作用効果について説明する。
【００３１】
この弁装置１０は、例えば、次のようにして組み立てることができる。
【００３２】
まず、ベース部材２０の保持部２５の外周にバネ部材７０を配置して、その座巻部７３を台座部２１に支持させると共に、保持部２５の複数の凹溝３１に、支持部５３の複数のガイド突起６５を整合させ、その状態で、ベース部材２０の台座部２１に弁部材５０の弁体５１が近接するように、保持部２５に対して弁部材５０を押し込んでいく。すると、凹溝３１によりガイド突起６５がガイドされつつ支持部５３が押し込まれて、押圧部６１や挿入軸部５９が保持部２５内に挿入されていき、該押圧部６１によって、弾性爪部３７の突部３９が押圧されて、該弾性爪部３７が、バネ部材７０の座巻部７３に向けて外方に撓んでいき、座巻部７３を内径側から押圧する。更に弁部材５０を押し込んで、ガイド突起６５が凹溝３１を通過してガイド溝３３に挿入されると、バネ部材７０の他端側の座巻部７３が弁部材５０の弁体５１の裏面側に当接して、バネ部材７０が、台座部２１と弁体５１との間で圧縮状態で抜け止め保持されて、台座部２１に対して弁体５１が離れる方向に付勢される。その結果、ガイド突起６５がガイド溝３３の上端部内周に係合して、ベース部材２０に対して弁部材５０を抜け止め保持した状態で、ベース部材２０と、弁部材５０と、バネ部材７０とを一体化させて組付けることができる（図２及び図７参照）。
【００３３】
また、この状態では、図７に示すように、支持部５３の押圧部６１によって、各弾性爪部３７が、座巻部７３に向けて外方に撓んだ状態に保持されて、座巻部７３を内径側から押圧した状態に維持すると共に、保持部２５の外周に設けた突出片４３が、バネ部材７０の座巻部７３側の線材７１，７１の間に挿入されるようになっている。
【００３４】
上記のようにして各部材が組付けられてなる弁装置１０を、弁体５１が開口部５に整合する位置となるように、弁ケース１内に配置する（図７参照）。この状態では、弁部材５０の弁体５１が、バネ部材７０の付勢力により開口部５に向けて押されて、そのシール部５５が開口部５の内周に当接して、開口部５が閉じた状態に保持される。そして、弁ケース１内の流体（ここでは油圧流路内を流動する油）が所定の圧力以上となると、バネ部材７０の付勢力に抗して弁体５１が押圧され、バネ部材７０が縮んだ状態となって、シール部５５が開口部５の内周から離れることで開口部５が開いて、流体が図８の矢印に示すように流動する。その後、弁ケース１内の流体の圧力が所定値以下となると、弁体５１がバネ部材７０の付勢力により再び付勢されて、バネ部材７０が伸びた状態となって、弁体５１のシール部５５が開口部５の内周に当接して、開口部５が閉じた状態となる。
【００３５】
そして、この弁装置１０においては、図７及び図８に示すように、流体に弁体５１が押圧されて開口部５を開くときや、開口部５に弁体５１が再び開口部５を閉じる際、バネ部材７０の伸び縮みを伴って、弁部材５０の支持部５３がベース部材２０の保持部２５に対してスライドするときに、弁部材５０の押圧部６１が、ベース部材２０の弾性爪部３７を、バネ部材７０の座巻部７３の内径に向けて外方に撓ませて、座巻部７３を押圧した状態に維持するので、バネ部材７０の座巻部７３を安定して保持することができ、バネ部材７０の座屈を抑制することができる。その結果、バネ部材７０に付勢される弁部材５０を傾きにくくさせて、その弁体５１を開口部５に対して所定の姿勢で当接させることができ、弁体５１と開口部５とのシール性や、開口部５に対する弁体５１の開弁性能（弁体５１が開くときの応答性）等の、所定の流体制御の性能を得ることができる。
【００３６】
また、この実施形態においては、図２及び図７に示すように、保持部２５に設けた各ガイド溝３３に、弁部材５０の支持部５３に設けた各ガイド突起６５が挿入されることで、保持部２５に対する支持部５３のスライド範囲が規制されつつ、スライドがガイドされるので、弁部材５０のスライド時に、弁部材５０の押圧部６１がベース部材２０の弾性爪部３７に対して位置ずれすることなく、しっかりと押圧することができ、バネ部材７０の座屈をより確実に抑制することができる。また、保持部２５に対する支持部５３のスライド範囲を規制できるため、開口部５に対する弁体５１のシール性能を調整しやすくなる。
【００３７】
更に、支持部５３が押出し方向に最大スライドしたとき、各ガイド溝３３に挿入された各ガイド突起６５が、各ガイド溝３３の端部内周に係合して、ベース部材２０に弁部材５０が抜け止め保持される。また、バネ部材７０は、ベース部材２０及び弁部材５０の間に抜け止め保持されるので（図７参照）、図２に示すように、ベース部材２０と、弁部材５０と、バネ部材７０とを、一体化することができ、弁装置１０をコントロールバルブや燃料タンク等の弁ケース１に設置しやすくすることができる。また、バネ部材７０によって付勢された弁部材５０の最大スライド量が、ガイド溝３３の端部内周にガイド突起６５が係合することで規制されるので、バネ部材７０のオーバーストロークを抑制して、バネ部材７０の耐久性を向上させることができる。
【００３８】
更にこの実施形態においては、図７に示すように、弁部材５０の支持部５３に、複数の弾性爪部３７の最大間隔よりも大きい径となるように設けられた押圧部６１が、ベース部材２０側の弾性爪部３７を、バネ部材７０の座巻部７３の内径側に向けて外方に撓ませて、バネ部材７０の座巻部７３を内径側から押圧する構造となっているので、バネ部材７０の座巻部７３をしっかりと保持することができ、バネ部材７０をベース部材２０の台座部２１上に安定して配置することができ、バネ部材７０の倒れや傾きを抑制して十分なバネ性能を得ることができる。また、バネ部材７０の伸び縮み時に、バネ部材７０は外径方向に拡開するが、その拡開が規制されず、十分なバネ性能を得ることができる。
【００３９】
更に、この実施形態においては、図７及び図８に示すように、保持部２５の外周に突出した突出片４３が、バネ部材７０の線材７１，７１の間に挿入されて、バネ部材７０の座巻部７３の、ベース部材２０の台座部２１からの浮き上がりが抑制されるので、バネ部材７０の座屈をより効果的に抑制することができる。
【００４０】
図９〜１４には、本発明に係る弁装置の、他の実施形態が示されている。なお、前記実施形態と実質的に同一部分には同符号を付してその説明を省略する。
【００４１】
この実施形態の弁装置１０Ａは、前記実施形態に対して、バネ部材７０の座巻部７３の押圧構造が異なっている。
【００４２】
まず、ベース部材２０Ａについて説明する。図９に示すように、この実施形態のベース部材２０Ａは、その台座部２１に、周方向に均等な間隔で複数の切欠き部２２（ここでは４個）が形成されている。また、図１１及び図１２に示すように、円筒状をなした保持部２５Ａの内側であって、台座部２１の挿入孔２３の上方には、略十字形状をなしたバネ支持部２４が設けられており、バネ部材７０の一端側の座巻部７３を支持するようになっている。
【００４３】
更に図１１に示すように、略円筒状をなした保持部２５Ａには、その基端側であって前記切欠き部２２に整合した位置に、略コ字状をなしたスリット３５が形成されており、該スリット３５を介して、弾性変形可能な弾性爪部３７Ａが形成されている。図１１及び図１２に示すように、各弾性爪部３７の内面側には、保持部２５の内径方向に向けてバネ押圧突部３９Ａが形成されていると共に、各弾性爪部３７の外面側からは、後述する弁部材５０Ａの押圧部６２に押圧される、被押圧突部４４が形成されている。また、保持部２５Ａの外周であって、軸方向所定位置には、周方向に均等な間隔で複数のガイド突起３０（ここでは４個）が形成されている（図９参照）。
【００４４】
一方、図９、図１０及び図１３に示すように、弁部材５０Ａの支持部５３Ａは、弁体５１の裏側中央から突出した円柱状の柱状部５４と、該柱状部５４の先端に連結された先端側が開口した円筒状をなし、前記ベース部材２０Ａの保持部２５Ａの外周に配置される筒部５６と、該筒部５６の先端面から、周方向に均等な間隔で帯状に突出し、前記ベース部材２０Ａの台座部２１の切欠き部２２に挿入されて、前記弾性爪部３７Ａを外径方向側から押圧する、複数の押圧部６２（ここでは４個）とを有している。また、図９に示すように、筒部５６の軸方向所定位置には、保持部２５Ａ外周に各ガイド突起３０がスライド可能に挿入される、長孔状をなしたガイド溝５８が周方向に均等な間隔で複数形成されている（ここでは４個）。
【００４５】
なお、図９に示すように、バネ部材７０Ａは、前記実施形態のバネ部材７０よりも細い外径となっており、また、軸方向両端の座巻部７３，７３は、他の部分よりもやや大きい外径となるように形成されている。
【００４６】
そして、ベース部材２０Ａの保持部２５Ａの内側にバネ部材７０Ａを配置し、座巻部７３を保持部内側のバネ支持部２４に支持させると共に、保持部２５Ａの複数のガイド突起３０と、支持部５３Ａの複数のガイド溝５８を整合させて、保持部２５Ａに対して弁部材５０Ａを押し込む。すると、保持部２５Ａの外周に弁部材５０Ａの筒部５６が配置されると共に、各押圧部６２が各切欠き部２２に挿入されて、該押圧部６２が被押圧突部４４を押圧して、各弾性爪部３７Ａがバネ部材７０Ａの座巻部７３に向けて内方に撓んで、バネ押圧突部３９Ａが座巻部７３を外径側から押圧する。更に各ガイド突起３０が各ガイド溝５８に挿入された状態では、バネ部材７０Ａの他端側の座巻部７３が弁部材５０の筒部５６の内面に当接して、バネ部材７０Ａが、バネ支持部２４と弁体５１との間で圧縮状態で抜け止め保持されると共に、台座部２１に対して弁体５１が離れる方向に付勢され、ガイド突起６５がガイド溝３３の上端部内周に係合して、ベース部材２０Ａに対して弁部材５０Ａが抜け止め保持され、ベース部材２０Ａと、弁部材５０Ａと、バネ部材７０Ａとを一体化させて組付けることができる。
【００４７】
そして、この実施形態においては、図１３及び図１４に示すように、保持部２５Ａの外周に配置された、支持部５３Ａの押圧部６２によって、各弾性爪部３７が、バネ部材７０Ａの座巻部７３に向けて内方に撓んだ状態に保持されて、バネ押圧突部３９Ａにより座巻部７３を外径側から押圧した状態に維持されるので、バネ部材７０Ａの座巻部７３を安定保持して、バネ部材７０の座屈を抑制でき、前記実施形態と同様の作用効果を得ることができる。
【００４８】
また、この実施形態においては、図９に示すように、支持部５３Ａに設けた各ガイド溝５８に、保持部２５Ａに設けた各ガイド突起３０が挿入されることで、保持部２５Ａに対する支持部５３Ａのスライド範囲が規制されつつ、スライドがガイドされるので、弁部材５０Ａのスライド時に、弁部材５０Ａの押圧部６２がベース部材２０Ａの弾性爪部３７Ａに対して位置ずれすることなく、しっかりと押圧することができ、バネ部材７０Ａの座屈をより確実に抑制することができる。また、保持部２５Ａに対する支持部５３Ａのスライド範囲を規制できるため、開口部５に対する弁体５１のシール性能を調整しやすくなる。更に、ベース部材２０Ａと、弁部材５０Ａと、バネ部材７０Ａとを、一体化することができ、弁装置１０Ａを弁ケース１に設置しやすい。更に、バネ部材７０によって付勢された弁部材５０Ａの最大スライド量が、ガイド溝５８の端部内周にガイド突起３０が係合することで規制され、バネ部材７０のオーバーストロークが抑制され、バネ部材７０Ａの耐久性を向上させる。
【００４９】
なお、本発明は、上述した実施形態に限定されるものではなく、本発明の要旨の範囲内で、各種の変形実施形態が可能であり、そのような実施形態も本発明の範囲に含まれる。
【符号の説明】
【００５０】
１  弁ケース
５  開口部
１０，１０Ａ  弁装置
２０，２０Ａ  ベース部材
２１  台座部
２５，２５Ａ  保持部
３０  ガイド突起
３１  凹溝
３３  ガイド溝
３５  スリット
３７，３７Ａ  弾性爪部
３９  突部
４３  突出片
５０，５０Ａ  弁部材
５１  弁体
５３，５３Ａ  支持部
５８  ガイド溝
６１，６２  押圧部
６５  ガイド突起
７０，７０Ａ  バネ部材
７１  線材
７３  座巻部
【図１】
2017207120.tif 000003
【図２】
2017207120.tif 000004
【図３】
2017207120.tif 000005
【図４】
2017207120.tif 000006
【図５】
2017207120.tif 000007
【図６】
2017207120.tif 000008
【図７】
2017207120.tif 000009
【図８】
2017207120.tif 000010
【図９】
2017207120.tif 000011
【図１０】
2017207120.tif 000012
【図１１】
2017207120.tif 000013
【図１２】
2017207120.tif 000014
【図１３】
2017207120.tif 000015
【図１４】
2017207120.tif 000016